【事件の表示】
　平成２年特許願第１０８８２６号「デイジタルＸ線透視撮影装置」拒絶査定に対する審判事件（平成４年１月１３日出願公開、特開平４−８０７４）について、次のとおり審決する。
【結論】
　本件審判の請求は、成り立たない。
【理由】
１．手続の経緯・本願発明
　本願は、平成２年４月２６日にされた特許出願であって、本願の請求項１に係る発明（以下、「本願発明」という。）は、平成１１年７月１６日付け手続補正書により補正された明細書及び図面の記載からみて、特許請求の範囲請求項１に記載された以下のとおりのものである。
「テーブル上に寝載された被検体にＸ線を放射するＸ線管と、上記テーブルを間に挟んでＸ線管に対向配置され被検体の透過Ｘ線を検出する検出器と、この検出器の検出透過Ｘ線を透視画像信号又は撮影画像信号として出力する手段と、この画像信号出力手段からの上記撮影画像信号を処理する画像処理部と、上記透視画像信号を透視画像として表示すると共に上記処理後の撮影画像信号を撮影画像として表示する表示装置と、透視指令手段及び撮影指令手段を有する操作部と、この操作部からの信号により上記画像処理部を制御する画像処理制御部とを備えたディジタルＸ線透視撮影装置において、上記操作部の透視指令手段又は撮影指令手段からの出力信号に応じて、上記画像信号出力手段から出力する透視画像信号と、上記画像処理部から出力する撮影画像信号とを切り換える手段を設け、該切り換えられた透視画像信号又は撮影画像信号の一方を上記表示装置に入力させることを特徴とするディジタルＸ線透視撮影装置。」
２．引用例
　これに対し、原査定の拒絶の理由で引用された特開平１−２９７０５０号公報（以下、「引用例１」という。）には、「被検体に向けてＸ線を照射するＸ線管と、このＸ線管から照射されて前記被検体を通過したＸ線像を光学像に変換するイメージインテンシファイアと、このイメージインテンシファイアの出力像を撮像する透視用及び撮影用のスキャン方式を有する撮像管と、この撮像管のスキャン方式を切換えるコントロールユニットと、このコントロールユニットにより切換えられた前記撮像管の撮影用のスキャン方式により撮像した撮影像を少なくとも１フレーム分記憶する画像メモリと、この画像メモリに記憶された撮影像を表示する表示器とを備えたことを特徴とするＸ線透視撮影装置。」（１頁、特許請求の範囲請求項１）であり、「被検体を透視しながら任意に撮影する方法として、一般にスポットショット撮影が知られている。第３図にこのスポットショット撮影の可能なＸ線透視撮影装置の概略構成図を示す。６はＸ線管、７は天板、８は被検体であり、Ｘ線管６から照射され、天板７上の被検体８を透過したＸ線画像情報は９のイメージインテンシファイア（以下、Ｉ．Ｉ．と称する）で検出される。」（１頁右下欄１６行〜２頁左上欄３行）こと、「本発明は上記の事情に基いて成されたものであり、高解像度で透視から撮影へ迅速に切換えることができ、撮影像が即時にモニタ表示できるＸ線透視撮影装置を提供することを目的とする。」（２頁右上欄１４行〜１７行）こと、「第１図は本発明に基づくＸ線透視撮影装置を示すブロック図である。尚、従来例として述べた第３図と同一部分については同一符号を付してある。
　１は透視スイッチ、２はＸ線スイッチであり、それぞれ３の操作卓に接続されている。操作卓３にて入力されるＸ線曝射情報は、４のＸ線制御装置に送られる。Ｘ線制御装置４からＸ線曝射スイッチＯＮ信号が１３のタイミングコントローラに送られると同時に、このＸ線制御装置４はただちにＸ線曝射準備にかかる。そして、Ｘ線制御装置４の曝射準備が終了し、ＲＥＡＤＹ状態になると、今度はＸ線制御装置４からタイミングコントローラ１３にＸ線曝射Ｘ−ＯＮ信号が送られる。タイミングコントローラ１３より、カメラがビームブランキングの状態にあることが確認されると、Ｘ線曝射ＴＸ−ＯＮ信号がＸ線制御装置４へ送られる。Ｘ線制御装置４は、Ｘ線曝射ＴＸ−ＯＮ信号を受けて初めてＸ線曝射ＲＸ−ＯＮ信号を出力し、高圧発生器５を介してＸ線管６からＸ線が曝射される。Ｘ線管６から曝射されて被検体８を介して得られるＸ線画像情報はＩ．Ｉ．９で検出され、光学系１０を介してＴＶカメラ１１で撮像される。このＴＶカメラ１１は透視用と撮影用でスキャン方式が切換可能であり、１２のＣＣＵからの信号に基いて切換られる。」（２頁右下欄３行〜３頁左上欄８行）こと、「透視像を表示する場合は通常のように透視像用モニタに表示するが、撮影像を表示する場合は本発明の特徴部分である上記タイミングコントローラ１３を含んで構成される撮影ユニット１９にＸ線画像情報が送られる。撮影像として収集されたＸ線画像情報はＣＣＵ１２から、１４のＡ／Ｄ変換器に送られ、ディジタル信号に変換される。Ａ／Ｄ変換器１４からのディジタル信号は画像メモリ群１５内にタイミングコントローラ１３のＷＲＩＴＥ信号に基き書き込まれる。画像メモリ群１５は、例えば、１０２４×１０２４のマトリクスサイズを１面とした画像メモリ１５Ａ，１５Ｂ，１５Ｃ・・・，１５Ｎを有する。又、この画像メモリ群に書き込まれたＸ線画像情報は、タイミングコントローラ１３のＲＥＡＤ信号に基き、書き込み時間に対して約４倍のスピードで読み出される。そして読み出されたＸ線画像情報は１６のＤ／Ａ変換器でアナログ信号に変換され、撮影像用モニタ１８で表示される。」（３頁右上欄１〜１９行）こと、「術者が透視像用モニタ１７を観察しながら、撮影したい透視像が現れたら撮影用Ｘ線曝射スイッチをＯＮする（Ｃ）。」（３頁左下欄６〜８行）こと、「メモリに書き込まれた画像は書き込みに対して約４倍のスピードで読み出し、専用の撮影像用モニタに表示する。」（３頁右下欄９〜１２行）ことが、記載されている。
　また、原査定の拒絶の理由で引用された特開昭６２−２９３３号公報（以下、「引用例２」という。）には、「被検体の透過Ｘ線情報を画素単位で電気信号に変換して蓄積し、且つ、蓄積した電気信号を画素単位で読み出し可能な検出器を有し、この検出器より読み出した電気信号を基に被検体のＸ線像を可視化するＸ線診断装置において、透視モード、撮影モード及び撮影部位に応じて前記検出器の読み出しアドレスを制御する制御部と、透視モード時に前記検出器より読み出された情報を、検出器のマトリクス上近傍画素毎に加算する加算手段とを具備することを特徴とするＸ線診断装置。」（１頁、特許請求の範囲請求項１）であり、「本発明は、上記事情に鑑みて成されたものであり、その目的とするところは、撮影部位及び透視モード、撮像モードに応じてＸ線像の適切なる可視化を行うことができるＸ線診断装置を提供することにある。」（２頁左上欄７〜１１行）こと、「第１図は本発明の一実施例たるＸ線診断装置のブロック図である。同図ＸＴは被検体Ｐに向ってＸ線を曝射するＸ線管、１は被検体Ｐを透過したＸ線を検出する検出器である。この検出器１は被検体Ｐの透過Ｘ線情報を画素単位で電気信号に変換して蓄積し、且つ、蓄積した電気信号を画素単位で読み出し可能なものであり、被検体Ｐを透過したＸ線を光に変換するシンチレータ（例えばＣｓＩ）２と、このシンチレータ２よりの光に応じて電子を放出する光電体（例えばＣｓ２Ｓｂ）３と、この光電体３よりの電子を加速後に再び光に変換する螢光体（例えば（ＺｎＣｄ）Ｓ）５と、この螢光体５よりの光を電気信号に変換して蓄積する２次元固体検出器６とを有して構成される。また、７は制御部であり透視モード、撮影モード及び撮影部位に応じて前記検出器１の読み出しアドレスを制御するものである。８はこの制御部７の制御によって読み出された情報（電気信号）を積分する複数の積分器より成る積分器群、９はこの積分器９の出力をディジタル信号に変換する複数のＡ／Ｄ（アナログ・ディジタル）変換器より成るＡ／Ｄ変換器群、１０はこのＡ／Ｄ変換器群９の出力を基に演算処理する演算部、１１はこの演算部１０の出力を記憶するメモリ、１２はこのメモリ１１の記憶内容を基に画像表示を行うモニタである。」（２頁右上欄６行〜同頁左下欄１０行）こと、「透視モードにおいては、・・・演算部１０では、入力されたデータを先ずラッチ回路１０−１〜１０−２０４８でラッチし、ラッチ回路４個毎に配置された加算手段１０ａによりラッチ回路４個毎の加算処理を行う。そして加算処理結果はセレクタ１０ｂを介してメモり１１内に書き込まれる。ラッチ回路のラッチは１００ｍｓ前後の速度で行う。５１２個のデータを書き込む毎にメモりアドレス信号がリセットされ、次々と５１２×５１２の画像が収集される。」（３頁右上欄１１行〜同頁右下欄５行）こと、「撮影モードにおいては、・・・演算部１０では、入力されたデータをラッチ回路１０−１〜１０−２０４８でラッチする。そして、各ラッチ回路にラッチされたデータは１００ｐｓｅｃ前後の速度で読み出され、メモリ１１内に書き込まれる。これにより、２枚／ｓｅｃで２０４８×２０４８のマトリクス画像が収集される。」（３頁右下欄１５行〜��頁左上欄１９行）ことが記載されている。
３．対比・判断
　そこで、本願発明と引用例１記載の発明とを対比すると、両者はいずれもＸ線透視撮影装置に関する発明であり、引用例１記載の発明の「天板」、「イメージインテンシファイア」、「撮像管」、「透視像（として収集された）Ｘ線画像情報」、「撮影像として収集されたＸ線画像情報」、「画像メモリ」、「「透視像用モニタ」と「撮影像用モニタ」」、「透視スイッチ」、「Ｘ線スイッチ」、「操作卓」、「タイミングコントローラ」は、それぞれ本願発明の「テーブル」、「検出器」、「画像信号出力手段」、「透視画像信号」、「撮影画像信号」、「画像処理部」、「表示装置」、「透視指令手段」、「撮影指令手段」、「操作部」、「画像処理制御部」に相当しているから、両者は、「テーブル上に寝載された被検体にＸ線を放射するＸ線管と、上記テーブルを間に挟んでＸ線管に対向配置され被検体の透過Ｘ線を検出する検出器と、この検出器の検出透過Ｘ線を透視画像信号又は撮影画像信号として出力する手段と、この画像信号出力手段からの上記撮影画像信号を処理する画像処理部と、画像信号を表示する表示装置と、透視指令手段及び撮影指令手段を有する操作部と、この操作部からの信号により上記画像処理部を制御する画像処理制御部とを備えたディジタルＸ線透視撮影装置において、上記操作部の透視指令手段又は撮影指令手段からの出力信号に応じて、画像信号を上記表示装置に入力させることを特徴とするディジタルＸ線透視撮影装置。」の点で一致し、次の点で相違している。
　本願発明では、表示装置として、透視画像信号を透視画像として表示すると共に処理後の撮影画像信号を撮影画像として表示する一つの表示装置を備えているのに対して、引用例１に記載の発明では、透視画像信号を透視画像として表示する表示装置と処理後の撮影画像信号を撮影画像として表示する表示装置の二つの表示装置を備えている点（以下、「相違点１」という。）、本願発明では、透視指令手段又は撮影指令手段からの出力信号に応じて、画像信号出力手段から出力する透視画像信号と、画像処理部から出力する撮影画像信号とを切り換える手段を設け、該切り換えられた透視画像信号又は撮影画像信号の一方を表示手段に入力させるものであるのに対して、引用例１に記載の発明では、このような切り換える手段を設けておらず、また、透視画像信号と撮影画像信号をそれぞれ異なる表示手段に入力させるものである点（以下、「相違点２」という。）。
　そこで、前記相違点について検討する。
相違点１について
　引用例２には、メモリ１１の記憶内容を基に画像表示を行うモニタ１２が記載されており、このモニタは、透視モードにおけるメモリ１１の記憶内容を表示すると共に撮影モードにおけるメモリ１１の記憶内容を表示するので、本願発明の、透視画像信号を透視画像として表示すると共に処理後の撮影画像信号を撮影画像として表示する表示装置を示唆するものである。
　したがって、引用例１に記載の、透視画像信号を透視画像として表示する表示装置と処理後の撮影画像信号を撮影画像として表示する表示装置の二つの表示装置を備える構成に換えて、引用例２に記載の上記表示装置を採用することは、当業者が適宜選択できた程度の事項と認められる。
相違点２について
　引用例２に記載の発明のような、透視画像信号の表示と撮影画像信号の表示を一つの表示装置で行う際には、表示の切換を行う必要があることは明らかであり、引用例１に記載されているように「透視像用モニタ１７を観察しながら、撮影したい透視像が現れたら撮影用Ｘ線曝射スイッチをＯＮする」使用方法が一般的であることを考慮すると、撮影指令手段からの出力信号により、透視画像を撮影画像に切り換えるようにすることは、当業者であれば、容易に採用しうることにすぎず、また逆に、透視指令手段からの出力信号により、撮影画像を透視画像に切り換えるようにすることも、同様に、当業者であれば、容易に採用しうることにすぎない。
　こうしてみると、引用例１に記載の発明における、画像信号出力手段から出力する透視画像信号と画像処理部から出力する撮影画像信号をそれぞれ異なる表示手段に入力させるものに換えて、引用例２に記載の上記透視指令手段に相当するものからの出力信号に応ずる透視画像信号と、撮影指令手段に相当するものからの出力信号に応ずる撮影画像信号とを切り換え手段により切り換えて、切り換えられた透視画像信号又は撮影画像信号の一方を表示手段に入力させる構成を適用することは、当業者が適宜なしえた事項と認められ、その際、透視画像信号として、引用例１に記載のような、画像信号出力手段から出力したものを用いることも、当業者が必要により適宜選択できた程度のことである。
　また、本願発明の作用効果についても、当業者の予測を越えるものとは認められない。
４．むすび
　したがって、本願発明は、引用例１及び２に記載された発明に基づいて当業者が容易に発明することができたものであるから、特許法第２９条第２項の規定により特許を受けることができない。
　よって、結論のとおり審決する。